(57)【要約】【課題】熱交換器において、フィン表面におけるドレン水処理を最適化することで熱交換能力の向上等を図る。【解決手段】フィン８の通風方向上流側の第１領域１１の表面を撥水処理面又は超撥水処理面とし、通風方向下流側の第２領域１２の表面を親水処理面とする。係る構成によれば、第１領域１１では撥水処理面又は超撥水処理面での滴状凝縮によりドレン水が水滴状となり高い熱交換効率が達成され、第２領域１２では親水処理面での膜状凝縮によりドレン水が膜状となり、第１領域１１側の水滴が第２領域１２側へ引き込まれて順次膜状に変化する。この結果、水滴のブリッジ現象の発生が可及的に防止され滴状凝縮が維持され高い熱交換効率が実現されるとともに、流路抵抗が低く抑えられ、これらの相乗効果として熱交換器の熱交換能力が高められる。【選択図】図３
2008241179.tif 000002
【特許請求の範囲】
【請求項１】
所定間隔で順次対向配置された多数枚のフィン（８）と、該各フィン（８）に直交する状態で配置された伝熱管（９）とからなる熱交換器であって、
上記フィン（８）の通風方向上流側の第１領域（１１）の表面を撥水処理面又は超撥水処理面とし、通風方向下流側の第２領域（１２）の表面を親水処理面としたことを特徴とする熱交換器。
【請求項２】
請求項１において、
上記第１領域（１１）の範囲が、上記フィン（８）の高位側から低位側に向かうに伴って減少するように設定されていることを特徴とする熱交換器。
【請求項３】
請求項１において、
上記第１領域（１１）の範囲が、高湿度環境下で使用されるものほど狭く設定されていることを特徴とする熱交換器。
【請求項４】
請求項１において、
上記第１領域（１１）の範囲が、低冷媒温度下で使用されるものほど狭く設定されていることを特徴とする熱交換器。
【請求項５】
請求項１，２，３又は４において、
上記伝熱管（９）が、通風方向に一列又は複数列に配置されていることを特徴とする熱交換器。
【発明の詳細な説明】
【技術分野】
【０００１】
本願発明は、空気調和機に適用される熱交換器に関するものである。
【背景技術】
【０００２】
空気調和機の室内機及び室外機にはそれぞれ熱交換器が備えられるが、この熱交換器としては、所定間隔で順次対向配置された多数枚のフィンと、該各フィンに直交する状態で配置された伝熱管とからなるクロスフィン型の熱交換器を採用するのが一般的である（例えば、特許文献１〜３参照）。
【０００３】
ところで、このようなクロスフィン型の熱交換器を備えた室内機及び室外機においては、その構造に起因する以下のような問題があった。
【０００４】
即ち、熱交換器のフィンは、伝熱管内を流れる冷媒からの伝熱によって冷却され、その表面側を流れる空気流との間で熱交換を行なうが、該熱交換器が蒸発器として機能する場合（冷房運転時における室内機の熱交換器、暖房運転時における室外機の熱交換器）、フィン表面に空気中の水分が凝縮してドレン水が付着する。
【０００５】
この場合、フィン表面が水の接触角が小さい親水性表面である場合には、ドレン水が水膜状に付着する膜状凝縮という伝熱形態となり、この水膜が伝熱抵抗として存在する。一方、フィン表面が水の接触角が大きい撥水性表面である場合には、ドレン水が水滴状に付着する滴状凝縮という伝熱形態となり、水滴がフィン表面に沿って流下して水膜が形成されないことから伝熱抵抗が少なく高い熱交換効率が確保される。
【０００６】
従って、この伝熱形態からいえば、フィンの表面全体を撥水性表面とすれば高い熱交換能力が得られ、熱交換器のフィンとして好適であると考えられる。
【０００７】
【特許文献１】特開平６−２０１２８５号公報
【特許文献２】特開平１０−２８１６７６号公報
【特許文献３】特開２００６−１９４４７６号公報。
【発明の開示】
【発明が解決しようとする課題】
【０００８】
ところが、クロスフィン型熱交換器においては、伝熱面積を拡大するという観点から、フィンピッチを小さくしてフィン密度を高めているため、係る構成の下でフィン表面を撥水性表面とした場合、該フィン表面で凝縮した水滴が、隣接するフィン間に跨るブリッジ現象が生じ、これによって伝熱抵抗及び流路抵抗が増大し、却って熱交換能力が低下することとなり、好ましくない。
【０００９】
一方、フィン表面での凝縮によって生じたドレン水は、重力によってフィン表面に沿って流下し排出されるが、この場合、特にドレン水が水滴状である場合（即ち、滴状凝縮の場合）には、この水滴が送風によって吹き飛ばされ、これが送風とともに吹出口から吹出される「水飛び」が生じることとなり、特に室内機においては快適な空調性の確保という点において問題となる。
【００１０】
そこで本願発明では、熱交換器において、フィン表面におけるドレン水処理を最適化することで熱交換能力の向上等を図ることを目的としてなされたものである。
【課題を解決するための手段】
【００１１】
本願発明ではかかる課題を解決するための具体的手段として次のような構成を採用している。
【００１２】
本願の第１の発明では、所定間隔で順次対向配置された多数枚のフィン８と、該各フィン８に直交する状態で配置された伝熱管９とからなる熱交換器において、上記フィン８の通風方向上流側の第１領域１１の表面を撥水処理面又は超撥水処理面とし、通風方向下流側の第２領域１２の表面を親水処理面としたことを特徴としている。
【００１３】
本願の第２の発明では、上記第１の発明に係る熱交換器において、上記第１領域１１の範囲を、上記フィン８の高位側から低位側に向かうに伴って減少するように設定したことを特徴としている。
【００１４】
本願の第３の発明では、上記第１の発明に係る熱交換器において、上記第１領域１１の範囲を、高湿度環境下で使用されるものほど狭く設定したことを特徴としている。
【００１５】
本願の第４の発明では、上記第１の発明に係る熱交換器において、上記第１領域１１の範囲を、低冷媒温度下で使用されるものほど狭く設定したことを特徴としている。
【００１６】
本願の第５の発明では、上記第１、第２、第３又は第４の発明に係る熱交換器において、上記伝熱管９を、通風方向に一列又は複数列に配置したことを特徴としている。
【発明の効果】
【００１７】
本願発明では次のような効果が得られる。
【００１８】
（ａ）本願の第１の発明に係る熱交換器によれば、上記フィン８の通風方向上流側の第１領域１１の表面を撥水処理面又は超撥水処理面とし、通風方向下流側の第２領域１２の表面を親水処理面としているので、例えば、室内機において熱交換器６が蒸発器として機能する冷房運転時、あるいは室外機において熱交換器６が蒸発器として機能する暖房運転時において、空気がフィン間の通風路１０に流入すると、該フィン８の通風方向上流側の第１領域１１では、その表面が撥水処理面又は超撥水処理面とされているため、滴状凝縮によりドレン水が水滴状となり高い熱交換効率が達成される。一方、上記第２領域１２においては、その表面が親水処理面とされているので、膜状凝縮によりドレン水が膜状とされる。そして、この場合、上記第１領域１１側の水滴は送風圧を受けて親水性の上記第２領域１２側へ移動し、該第２領域１２にその一部が到達すると、親水作用、即ち、水の接触角の減少作用を受けて、該第２領域１２側へ引き込まれるように順次形体が膜状に変化する。
【００１９】
従って、上記フィン８の上記第１領域１１側においては、水滴状に凝縮したドレン水が順次第２領域１２側へ移動し該第１領域１１上での滞留時間が短いことからブリッジ現象の発生が可及的に防止され、該第１領域１１の表面での滴状凝縮の維持によって高い熱交換効率が実現されるとともに、流路抵抗も低く抑えられ、これらの相乗効果として、高い熱交換能力が確保される。
【００２０】
また、上記第１領域１１側において発生した水滴が上記第２領域１２側へ引き込まれて膜状に変化することから、例えば、従来のように水滴が送風に乗って飛散し吹出口から吹出される「水飛び」現象が可及的に防止され、特に室内機にあっては空調の快適性が確保され、延いてはその商品価値が向上することになる。
【００２１】
さらに、上記フィン８の第１領域１１及び第２領域１２の表面がそれぞれ表面処理されていることで、該フィン８の腐食が可及的に防止され、該フィン８の耐久性、延いては熱交換器６の耐久性及び信頼性が向上することになる。
【００２２】
（ｂ）本願の第２の発明に係る熱交換器によれば、上記（ａ）に記載の効果に加えて以下のような特有の効果が得られる。即ち、この発明では、上記第１領域１１の範囲を、上記フィン８の高位側から低位側に向かうに伴って減少するように設定している。ここで、上記フィン８の表面上において発生したドレン水は、重力によって順次流下するため、該フィン８全体としてみると、該フィン８の高位側ではドレン量が少なく、低位側では高位側から流下するドレン水が集合するのでドレン量が多くなる。
【００２３】
従って、この発明のように、上記第１領域１１の範囲を、上記フィン８の高位側から低位側に向かうに伴って減少するように設定することで、ドレン量の少ない高位側では、撥水処理面又は超撥水処理面の領域が広いことから滴状凝縮がより効果的に行なわれ熱交換効率がより一層高められる一方、ドレン量の多い低位側では、親水処理面の領域が広いことから水滴の水膜化が促進され「水飛び」の発生がより一層抑制される。これらの相乗効果として、高い熱交換能力の確保と「水飛び」の防止とを両立させた熱交換器を提供することができる。
【００２４】
（ｃ）本願の第３の発明に係る熱交換器によれば、上記（ａ）に記載の効果に加えて以下のような特有の効果が得られる。即ち、この発明では、上記第１領域１１の範囲を、高湿度環境下で使用されるものほど狭く設定している。ここで、上記フィン８の表面上で発生するドレン量は、熱交換器６が高湿度環境下で使用される場合には、低湿度環境下で使用される場合よりも多くなる。従って、この発明のように、上記第１領域１１の範囲を、高湿度環境下で使用されるものほど狭く設定することで、ドレン量の多い高湿度環境下で使用される熱交換器６にあっては上記第１領域１１の範囲が狭い分だけ、換言すれば、上記第２領域１２の範囲が広い分だけ、該第２領域１２の親水処理面による水滴の水膜化が促進され「水飛び」の発生がより一層抑制される。
【００２５】
（ｄ）本願の第４の発明に係る熱交換器によれば、上記（ａ）に記載の効果に加えて以下のような特有の効果が得られる。即ち、この発明では、上記第１領域１１の範囲を、低冷媒温度下で使用されるものほど狭く設定している。ここで、上記フィン８の表面上で発生するドレン量は、熱交換器６が低冷媒温度下で使用される場合には、高冷媒温度下で使用される場合よりも多くなる。従って、この発明のように、上記第１領域１１の範囲を、低冷媒温度下で使用されるものほど狭く設定することで、ドレン量の多い低冷媒温度下で使用される熱交換器６にあっては上記第１領域１１の範囲が狭い分だけ、換言すれば、上記第２領域１２範囲が広い分だけ、該第２領域１２の親水処理面による水滴の水膜化が促進され「水飛び」の発生がより一層抑制される。
【００２６】
（ｅ）本願の第５の発明に係る熱交換器によれば、上記伝熱管９を、通風方向に一列又は複数列に配置しているので、伝熱管９を通風方向に一列に配置したものにおいては、例えば、該伝熱管９を中心としてそれより通風方向上流側部分を上記第１領域１１とし、通風方向下流側部分を上記第２領域１２とすることで、熱交換能力の小さい熱交換器においても上記（ａ）、（ｂ）、（ｃ）又は（ｄ）に記載の効果を確実に得ることができる。
【００２７】
また、伝熱管９を通風方向に複数列に配置したものにおいては、例えば、通風方向上流側の管列に対応する部分を上記第１領域１１とし、通風方向下流側の管列に対応する部分を上記第２領域１２とすることで、熱交換能力の大きい熱交換器においても上記（ａ）、（ｂ）、（ｃ）又は（ｄ）に記載の効果を確実に得ることができる。
【００２８】
これらの相乗効果として、熱交換器の汎用性が向上することになる。
【発明を実施するための最良の形態】
【００２９】
以下、本願発明を具体的に説明する。
【００３０】
図１には、本願発明に係る熱交換器を備えてなる空気調和機の室内機１を示しており、同図において、符号２は室内壁面に取付けられるケーシングである。このケーシング２の前面下部と前面上部及び上面には、それぞれ吸込口３Ａ〜３Ｃが設けられるとともに、下面側にはフラップ１４を備えた吹出口４が設けられている。
【００３１】
また、上記ケーシング２の上記各吸込口３Ａ〜３Ｃから上記吹出口４に至る通風路５内には、上記各吸込口３Ａ〜３Ｃのそれぞれに対応するようにして熱交換器６Ａ〜６Ｃが配置されるとともに、該各熱交換器６Ａ〜６Ｃの下流側にはファン７が配置されており、上記ファン７の運転によって、上記各吸込口３Ａ〜３Ｃのそれぞれから上記通風路５内に吸込まれた空気は、白抜矢印で示すように、上記各熱交換器６Ａ〜６Ｃに流入し、該各熱交換器６Ａ〜６Ｃを通過する間に熱交換して温調空気となり、上記吹出口４から室内側へ吹出され、室内の冷房又は暖房を行なう。
【００３２】
一方、図２には、本願発明に係る熱交換器を備えてなる空気調和機の室外機２０を示しており、同図において、符号２１はケーシングであって、該ケーシング２１の背面には吸込口２２が、前面には吹出口２３がそれぞれ設けられるとともに、上記吸込口２２から上記吹出口２３に至る通風路２４内には、熱交換器２５が上記吸込口２２に対向して、又はファン２６が上記吹出口２３に対向して、それぞれ配置されている。
【００３３】
そして、上記室内機１の熱交換器６及び上記室外機２０の熱交換器２５は、共に、所定間隔で順次対向配置された多数枚のフィン８と、該各フィン８に直交する状態で配置された伝熱管９とで構成されるクロスフィン型熱交換器とされている。
【００３４】
この熱交換器６においては、フィン８の表面処理によって該表面における凝縮形態をコントロールすることで、高い熱交換能力の確保と、特に室内機１において有用な「水飛び防止」を両立させることを意図して、以下の各実施形態に示すようなフィン構造を採用している。
【００３５】
第１の実施形態
図３には、第１の実施形態に係るフィン８を示している。このフィン８は、縦長矩形の薄板で構成され、その一方の長辺は空気Ａの通風方向上流側に位置する前縁８ａとされ、他方の長辺は通風方向下流側に位置する後縁８ｂとされるとともに、通風方向に前後して二列に伝熱管９が貫通配置されている。
【００３６】
このフィン８においては、これを仮想線Ｌで示すように、通風方向において仮想的に二分し、通風方向上流側に位置する（即ち、前列側の伝熱管群に対応する）領域を第１領域１１、通風方向下流側に位置する（即ち、後列側の伝熱管群に対応する）領域を第２領域１２としている。そして、これら両領域のうち、上記第１領域１１の表面を撥水処理面又は超撥水処理面とし、上記第２領域１２の表面を親水処理面としている。
【００３７】
ここで、上記親水処理面とは、水の接触角が例えば、１０°程度となるように表面処理された面をいう。また、撥水処理面とは、水の接触角が例えば、９０°〜１２０°程度となるように表面処理された面をいう。さらに、超撥水処理面とは、水の接触角が例えば、１２０°以上となるように表面処理された面をいう。
【００３８】
このような表面処理形態を採用したフィン８においては、以下のような作用効果が得られる。
【００３９】
即ち、図４において模式的に示すように、所定間隔をもって上記フィン８を順次対向配置しその隣接する一対のフィン８、８間を通風路１０として熱交換器６を構成する。そして、上記熱交換器６が蒸発器として機能する冷房運転時において、上記通風路１０に上記フィン８の前縁８ａ側から高温高湿の空気Ａが流入する場合を想定する。
【００４０】
この場合、空気が上記通風路１０に流入すると、上記フィン８の通風方向上流側の第１領域１１では、その表面が撥水処理面又は超撥水処理面とされているため、ドレン水は滴状凝縮によって水滴状に凝縮し、水滴Ｄとして存在する。そして、この第１領域１１上で凝縮した水滴Ｄは、送風圧を受けて順次親水性の上記第２領域１２側へ移動し、該第２領域１２にその一部が到達すると、親水作用、即ち、水の接触角の減少作用を受けて、該第２領域１２側へ引き込まれるように順次形体が膜状に変化する。
【００４１】
この結果、上記フィン８の上記第１領域１１側においては、凝縮した水滴Ｄが順次第２領域１２側へ移動し該第１領域１１上での滞留時間が短いことから、該水滴Ｄによるブリッジ現象の発生が可及的に防止され、該第１領域１１の表面での滴状凝縮の維持によって高い熱交換効率が実現されるとともに、上記通風路１０における流路抵抗も低く抑えられ、これらの相乗効果として、上記熱交換器６においては高い熱交換能力が確保されることになる。
【００４２】
また、上記第１領域１１側において発生した水滴Ｄが上記第２領域１２側へ引き込まれて膜状に変化することから、例えば、従来のように水滴Ｄが送風に乗って飛散し吹出口から吹出される「水飛び」現象が可及的に防止され、特に室内機１にあっては空調の快適性が確保され、延いてはその商品価値が向上することになる。
【００４３】
さらに、上記フィン８の第１領域１１及び第２領域１２の表面がそれぞれ表面処理されていることで、該フィン８の腐食が可及的に防止され、該フィン８の耐久性、延いては熱交換器６の耐久性及び信頼性が向上することになる。
【００４４】
第２の実施形態
図５には、第２の実施形態に係るフィン８を示している。このフィン８には、通風方向に前後して三列に伝熱管９が配置されており、その表面領域を仮想線Ｌで示すように、一列目の伝熱管群と二列目の伝熱管群の中間から通風方向において仮想的に二分し、通風方向上流側に位置する一列側の伝熱管群に対応する領域を第１領域１１、通風方向下流側に位置する二列目及び三列目の伝熱管群に対応する領域を第２領域１２としている。そして、これら両領域のうち、上記第１領域１１の表面を撥水処理面又は超撥水処理面とし、上記第２領域１２の表面を親水処理面としている。
【００４５】
従って、この実施形態のフィン８においては、上記第１領域１１の表面での滴状凝縮と上記第２領域１２の表面での膜状凝縮とによって、上記第１の実施形態のフィン８の場合と同様の作用効果が得られるものであるが、特にこの実施形態のフィン８では、上記第２領域１２の領域を、上記第１領域１１の領域よりも広くとっているので、該第２領域１２側における水滴Ｄの水膜化作用が高く、ドレン水の発生量が多い条件下で使用される熱交換器６、例えば、高湿度環境下で使用される熱交換器６とか、低冷媒温度下で使用される熱交換器６に用いるに好適なフィンといえる。
【００４６】
尚、上記第１領域１１の表面での滴状凝縮と上記第２領域１２の表面での膜状凝縮とによる作用効果については、上記第１の実施形態の該当説明を援用し、ここでの説明を省略する。
【００４７】
第３の実施形態
図６には、第３の実施形態に係るフィン８を示している。このフィン８は、その基本構成を上記第１の実施形態に係るフィン８と同様とするものであって、これと異なる点は、該フィン８の表面の領域分けである。
【００４８】
即ち、上記第１の実施形態に係るフィン８では、その表面の領域を、前列側の伝熱管群に対応する第１領域１１と後列側の伝熱管群に対応する第２領域１２に分けており、該各領域１１，１２においては通風方向に直交する方向における領域幅が、該フィン８の上部８ｃ（熱交換器６の設置状態において高位に位置する部位）から下部８ｄ（熱交換器６の設置状態において低位に位置する部位）に亘って一定とされている。
【００４９】
これに対して、この実施形態のフィン８では、フィン８の後縁８ｂの上端と前縁８ａの下端を結ぶ仮想線Ｌによって、該仮想線Ｌより通風方向上流側に位置する第１領域１１と下流側に位置する第２領域１２とに領域分けし、上記第１領域１１の表面を撥水処理面又は超撥水処理面とし、上記第２領域１２の表面を親水処理面としている。
【００５０】
このような領域分けをすることで、上記第１領域１１の範囲は上記フィン８の高位側から低位側に向かうに伴って減少し、逆に上記第２領域１２の範囲は上記フィン８の高位側から低位側に向かうに伴って増加することになる。
【００５１】
このような領域分けは、上記フィン８の表面におけるドレン量に対応させたものである。即ち、上記フィン８の表面上において発生したドレン水は、重力によって順次流下するため、該フィン８全体としてみると、該フィン８の高位側ではドレン量が少なく、低位側では高位側から流下するドレン水が集合するのでドレン量が多くなる。そして、ドレン量が多い部位では上記第２領域１２の範囲を広くし、ドレン量の少ない部位では上記第１領域１１の範囲を広くしたものである。
【００５２】
従って、このような表面構成をもつ上記フィン８においては、ドレン量の少ない高位側では、撥水処理面又は超撥水処理面で構成される上記第１領域１１の範囲が広いことから該表面での滴状凝縮がより効果的に行なわれ、熱交換効率がより一層高められることになる。これに対して、ドレン量の多い低位側では、親水処理面で構成される上記第２領域１２の範囲が広いことから、水滴の水膜化が促進され、「水飛び」の発生がより一層抑制されることになる。これらの相乗効果として、上記フィン８を備えた熱交換器６においては、高い熱交換能力の確保と「水飛び」の防止とが両立されることになる。
【００５３】
尚、上記第１領域１１の表面での滴状凝縮と上記第２領域１２の表面での膜状凝縮とによる作用効果については、上記第１の実施形態の該当説明を援用し、ここでの説明を省略する。
【００５４】
第４の実施形態
図７には、第４の実施形態に係るフィン８を示している。このフィン８は、上記第３の実施形態に係るフィン８の変形例の一つであって、該第３の実施形態のフィン８とは、その表面の領域分けが異なるものである。
【００５５】
即ち、この実施形態のフィン８においては、仮想線Ｌで示すように、上記第１領域１１の範囲を、上記第３の実施形態のフィン８の場合よりも、高位側では狭め、低位側では広げたものである。
【００５６】
係る領域構成をとるフィン８は、上記第３の実施形態の場合よりも、高位側でのドレン量が多く、低位側でのドレン量が少ないような条件下で使用される熱交換器６のフィンとして用いるに好適なものである。
【００５７】
尚、上記第１領域１１の表面での滴状凝縮と上記第２領域１２の表面での膜状凝縮とによる作用効果については、上記第１の実施形態の該当説明を援用し、ここでの説明を省略する。
【００５８】
第５の実施形態
図８には、第５の実施形態に係るフィン８を示している。このフィン８も、上記第３の実施形態に係るフィン８の変形例の一つであって、該第３の実施形態のフィン８とは、その表面の領域分けが異なるものである。
【００５９】
即ち、この実施形態のフィン８においては、上記第２領域１２の範囲を、仮想線Ｌで示すように、上記第３の実施形態のフィン８の場合よりも、該フィン８の低位側において拡大したものである。
【００６０】
係る領域構成をとるフィン８は、上記第３の実施形態の場合よりも、低位側でのドレン量が多いような条件下で使用される熱交換器６のフィンとして用いるに好適なものである。
【００６１】
尚、上記第１領域１１の表面での滴状凝縮と上記第２領域１２の表面での膜状凝縮とによる作用効果については、上記第１の実施形態の該当説明を援用し、ここでの説明を省略する。
【００６２】
第６の実施形態
図９には、第６の実施形態に係るフィン８を示している。このフィン８も、上記第３の実施形態に係るフィン８の変形例の一つであって、該第３の実施形態のフィン８とは、その表面の領域分けが異なるものである。
【００６３】
即ち、この実施形態のフィン８においては、仮想線Ｌで示すように、上記第３の実施形態のフィン８の場合よりも、上記第１領域１１の範囲を該フィン８の高位側において拡大するとともに、上記第２領域１２の範囲を該フィン８の低位側において拡大したものである。
【００６４】
係る領域構成をとるフィン８は、上記第３の実施形態の場合よりも、高位側でドレン量が少なく、低位側でのドレン量が多いような条件下で使用される熱交換器６のフィンとして用いるに好適なものである。
【００６５】
尚、上記第１領域１１の表面での滴状凝縮と上記第２領域１２の表面での膜状凝縮とによる作用効果については、上記第１の実施形態の該当説明を援用し、ここでの説明を省略する。
【００６６】
第７の実施形態
図１０には、第７の実施形態に係るフィン８を示している。このフィン８も、上記第３の実施形態に係るフィン８の変形例の一つであって、該第３の実施形態のフィン８とは、その表面の領域分けが異なるものである。
【００６７】
即ち、この実施形態のフィン８においては、上記第１領域１１の範囲を、仮想線Ｌで示すように、上記第３の実施形態のフィン８の場合よりも、該フィン８の高位側において拡大したものであって、上記第６の実施形態に係るフィン８との対比では、該第６の実施形態の場合よりもさらに高位側での第１領域１１の範囲を拡大するとともに、低位側での上記第２領域１２の範囲を縮小したものである。
【００６８】
従って、係る領域構成をとるフィン８は、上記第６の実施形態の場合よりも、ドレン量がさらに少ないような条件下で使用される熱交換器６のフィンとして用いるに好適なものである。
【００６９】
尚、上記第１領域１１の表面での滴状凝縮と上記第２領域１２の表面での膜状凝縮とによる作用効果については、上記第１の実施形態の該当説明を援用し、ここでの説明を省略する。
【００７０】
第８の実施形態
図１１には、第８の実施形態に係るフィン８を示している。このフィン８は、上記各実施形態のフィン８とは異なって、伝熱管９が一列に配置された構成をもつものであって、係る一列配置のものにおいて、上記第１の実施形態に係るフィン８の場合と同様に、該フィン８を通風方向に仮想的に二分し、通風方向上流側に位置する領域を第１領域１１、通風方向下流側に位置する領域を第２領域１２とするとともに、上記第１領域１１の表面を撥水処理面又は超撥水処理面とし、上記第２領域１２の表面を親水処理面としている。
【００７１】
係る構成を採用することで、熱交換能力の小さい熱交換器６においても、上記各実施形態のような熱交換能力の大きい複数列配置の熱交換器６の場合と同様の作用効果を得ることができ、延いては熱交換器の汎用性の拡大に寄与し得るものである。
【００７２】
尚、上記第１領域１１の表面での滴状凝縮と上記第２領域１２の表面での膜状凝縮とによる作用効果については、上記第１の実施形態の該当説明を援用し、ここでの説明を省略する。
【図面の簡単な説明】
【００７３】
【図１】本願発明に係る熱交換器を備えた空気調和機の室内機の縦断面図である。
【図２】本願発明に係る熱交換器を備えた空気調和機の室外機の縦断面図である。
【図３】熱交換器を構成するフィンの第１の実施形態を示す側面図である。
【図４】図３に示したフィンにおける水滴の付着状況説明図である。
【図５】熱交換器を構成するフィンの第２の実施形態を示す側面図である。
【図６】熱交換器を構成するフィンの第３の実施形態を示す側面図である。
【図７】熱交換器を構成するフィンの第４の実施形態を示す側面図である。
【図８】熱交換器を構成するフィンの第５の実施形態を示す側面図である。
【図９】熱交換器を構成するフィンの第６の実施形態を示す側面図である。
【図１０】熱交換器を構成するフィンの第７の実施形態を示す側面図である。
【図１１】熱交換器を構成するフィンの第８の実施形態を示す側面図である。
【符号の説明】
【００７４】
１      ・・室内機
２      ・・ケーシング
３      ・・吸込口
４      ・・吹出口
５      ・・通風路
６      ・・熱交換器
７      ・・ファン
８      ・・フィン
９      ・・伝熱管
１０    ・・通風路
１１    ・・第１領域
１２    ・・第２領域
１３    ・・ドレーン受
１４    ・・フラップ
２０    ・・室外機
２１    ・・ケーシング
２２    ・・吸込口
２３    ・・吹出口
２４    ・・通風路
２５    ・・熱交換器
２６    ・・ファン
【図１】
2008241179.tif 000003
【図２】
2008241179.tif 000004
【図３】
2008241179.tif 000005
【図４】
2008241179.tif 000006
【図５】
2008241179.tif 000007
【図６】
2008241179.tif 000008
【図７】
2008241179.tif 000009
【図８】
2008241179.tif 000010
【図９】
2008241179.tif 000011
【図１０】
2008241179.tif 000012
【図１１】
2008241179.tif 000013